(57)【要約】【課題】速やかに内角及び外角を正確に測量することが可能であり、より簡易で速やかな一つの動作で所望の角度を描き若しくは他の直線を描くことができるゲージ装置を提供する。【解決手段】水平組立ブロック１０と、補助組立ブロック２０と、上蓋組立ブロック３０とを有し、水平組立ブロック１０は、一側に凹み面１１が設けられ、凹み面１１内の上半円部に形成された中空１２と、凹み面１１内の下半円部に形成される実体部１２０とを有し、上蓋組立ブロック３０は、周縁にスケールライン３２が設けられ、補助組立ブロック２０は、ほぼ半円突出形状で形成されており、水平組立ブロック１０と上蓋組立ブロック３０との間で回転可能に設けられる。補助組立ブロック２０は、水平組立ブロック１０の凹み面１１に設けられ、上蓋組立ブロック３０は、その底面に水平組立ブロック１０の凹孔１３に対応する係合凸体３１が設けられ、水平組立ブロック１０と係合する。【選択図】        図１
0003122412.tif 000002
【実用新案登録請求の範囲】
【請求項１】
主に、水平組立ブロック１０と、補助組立ブロック２０と、上蓋組立ブロック３０とを備え、
一側に凹み面１１が設けられ、且つその上半円部が中空１２で、下半円部が中央端面に円弧１２１を有する実体部１２０であり、その周縁面に亘って凹孔１３が設けられ、もう一方側には水平尺１４が延びており、
該補助組立ブロック２０が、半円型の凸ブロック２１で、水平組立ブロック１０の一側の凹み面１１に設けられ、凸ブロック２１に半円面体２２が上向きに突出され、一側にスケールが設けられる真っ直ぐな側辺を終辺２２０とし、終辺２２０の両端には、指示矢印２４、２４０がそれぞれ設けられ、その中央には、水平組立ブロック１０の実体部１２０の中央円弧１２１に対応する円弧２５が設けられ、
該上蓋組立ブロック３０の中央に中空部３３が設けられ、その周縁にスケールライン３２が設けられ、その底面に前記水平組立ブロック１０の周縁面の凹孔１３に対応する係合凸体３１が設けられ、前記水平組立ブロック１０と係合することを特徴とするゲージ装置。
【請求項２】
前記ゲージ装置１は、三角定規１ａ又は直角定規若しくは多角定規の何れか一つに配置されていることを特徴とする請求項１記載のゲージ装置。
【請求項３】
一側に凹み面１１ｃが設けられ、且つその上半円部が中空１２ｃで、下半円部の外周にスケールラインが設けられる実体部１２０ｃである円形組立ブロック１０ｃと、周縁にスケールライン３２ｃを設けている上蓋組立ブロック３０ｃと、半円形状で前記円形組立ブロック１０ｃと前記上蓋組立ブロック３０ｃとの間に組み立てられる補助組立ブロック２０ｃとを備えることを特徴とするゲージ装置。
【考案の詳細な説明】
【技術分野】
【０００１】
本考案は、ゲージ装置に関し、より詳細には、水平組立ブロックに嵌め付けられ、測量又は描く時の実際の要求に応じて、所望な内角、外角及びその補角を任意に変更することができるゲージ装置に関する。
【背景技術】
【０００２】
従来、この種の測量器具としては、例えば、分度器や直線定規及び三角定規、直角定規などの測量器具が知られている。分度器や直線定規及び三角定規、直角定規は、それぞれ別個独立の測量器具であり、三角定規（例えば、特許文献２参照）、直角定規は、３０度、４５度、６０度及び９０度しか表示できないので、他の角度を速やかに描くことはできない。他の角度を描く場合には、分度器（例えば、特許文献１参照）を用いて描くことが必要であるが、一般の分度器は、真っ直ぐな側辺の内側に基準となる始辺が設けられ、その上に中心点を設けており、測量する時に、分度器の真っ直ぐな側辺と始辺との間に小さいピッチが形成されるため、使用者又は学生らが真っ直ぐな側辺を始辺と誤認し、さらにその中心を中心点として測量し又は作図してしまい易く、その測量した角度が始辺を中心点とする角度と誤差を生じることになる。
【０００３】
また、例えば特許文献１や特許文献２に開示されているような従来の分度器や三角定規を用いて角度若しくは直線を描く各過程についてみると、スクライブ作業を個別にした後で、形成された取付角を直線と連結し若しくは異なる角度の図形を更に作図する必要がある。また、従来の測量器具は、所望の角度及び直線を描く場合には、作図者が適宜組み合わせて描く必要があり、一般に、作図者である学生らは測量器具を選んで購入した後に、使用の際に、測量器具のうち一つを持ち忘れると、作図を完成することが困難となる。
【０００４】
【特許文献１】特開平８−１６６２０１号公報
【特許文献２】特開平９−２０７４９７号公報
【考案の開示】
【考案が解決しようとする課題】
【０００５】
しかしながら、このような市販されている測量器具では、通常使われている分度器や直線定規及び三角定規、直角定規の規格化された機能しか備えていないので、作図に必要な測量器具を総て所有していない場合には、作図者が所望の作図を完成することができない。そのため、作図者が自分で測量器具を用いて作図しようとする過程では、分度器や直線定規及び三角定規、直角定規などの測量器具が十分備わっていれば、どのような方向の長さ若しくは他の角度も作図することが可能となるので、後続の作業をスムーズに行うことができ、且つ所望な図形を完成することができるが、これらの測量器具が揃っていない場合には、作図の過程で多くの不便が生じる。
【０００６】
したがって、特許文献１や特許文献２に開示されているような従来の測量器具では、分度器や直線定規及び三角定規、直角定規などの複数の測量器具が総て揃っていない場合には、所望の作図を描くことができないという課題を有していた。
【０００７】
本考案は、補助組立ブロックを回転し且つ真っ直ぐな側辺の両端の指示矢印を上蓋組立ブロック周縁のスケールラインに対照させ、始辺である水平組立ブロック実体部の真っ直ぐな側縁、並びに終辺である補助組立ブロックの真っ直ぐな側縁により挟まれる角度を測量又は描いて、両端の指示矢印で速やかに内角及び外角を正確に測量することが可能であり、より簡易で速やかな一つの動作で所望の角度を描き若しくは他の直線を描くことができるゲージ装置を提供することを目的とする。
【課題を解決するための手段】
【０００８】
本考案によるゲージ装置は、主に、水平組立ブロック１０と、補助組立ブロック２０と、上蓋組立ブロック３０とを備え、一側に凹み面１１が設けられ、且つその上半円部が中空１２で、下半円部が中央端面に円弧１２１を有する実体部１２０であり、その周縁面に亘って凹孔１３が設けられ、もう一方側には水平尺１４が延びており、該補助組立ブロック２０が、半円型の凸ブロック２１で、水平組立ブロック１０の一側の凹み面１１に設けられ、凸ブロック２１に半円面体２２が上向きに突出され、一側にスケールが設けられる真っ直ぐな側辺を終辺２２０とし、終辺２２０の両端には、指示矢印２４、２４０がそれぞれ設けられ、その中央には、水平組立ブロック１０の実体部１２０の中央円弧１２１に対応する円弧２５が設けられ、該上蓋組立ブロック３０の中央に中空部３３が設けられ、その周縁にスケールライン３２が設けられ、その底面に前記水平組立ブロック１０の周縁面の凹孔１３に対応する係合凸体３１が設けられ、前記水平組立ブロック１０と係合することを特徴とする。また、本考案による前記ゲージ装置１は、三角定規１ａ又は直角定規１ｂ若しくは多角定規の何れか一つに配置されていることを特徴とする。また、本考案によるゲージ装置は、一側に凹み面１１ｃが設けられ、且つその上半円部が中空１２ｃで、下半円部の外周にスケールラインが設けられる実体部１２０ｃである円形組立ブロック１０ｃと、周縁にスケールライン３２ｃを設けている上蓋組立ブロック３０ｃと、半円形状で前記円形組立ブロック１０ｃと前記上蓋組立ブロック３０ｃとの間に組み立てられる補助組立ブロック２０ｃとを備えることを特徴とする。
【考案の効果】
【０００９】
（１）本考案によれば、補助ブロックを回転し且つ真っ直ぐな側辺の両端の指示矢印を上蓋組立ブロック周縁のスケールラインに対照させ、始辺である水平組立ブロック実体部の真っ直ぐな側縁、並びに終辺である補助組立ブロックの真っ直ぐな側縁により挟まれる角度を測量又は描いて、両端の指示矢印で速やかに内角及び外角を正確に測量することができる。
【００１０】
（２）また、本考案によれば、より簡易で速やかな一つの動作で所望の角度を描き若しくは他の直線を描くことができる。
【００１１】
（３）また、本考案によれば、水平組立ブロックに嵌め付けられ、測量又は描く時の実際の要求に応じて、所望な内角、外角及びその補角を任意に変更することができる。
【考案を実施するための最良の形態】
【００１２】
図１及び図２に示すように、本考案によるゲージ装置１は、水平組立ブロック１０と、上蓋組立ブロック３０と、水平組立ブロック１０と上蓋組立ブロック３０との間に介装される補助組立ブロック２０とを有する。水平組立ブロック１０は、主として、全体が薄板状で、一側に凹み面１１が設けられ、且つその半円部が中空で形成された中空１２と、下半円部に実体部１２０が形成されている。上蓋組立ブロック３０は、全体が薄板で、中空部３３を有する環状に形成されて、周縁にスケールライン３２が形成されている。補助組立ブロック２０は、水平組立ブロック１０と上蓋組立ブロック３０との間に介装されて回転可能であり、全体が半円形状で形成されている。なお、スケールライン３２は、印刷等の公知の手段によって形成されている。
【００１３】
水平組立ブロック１０は、薄板状の前方後円墳状に形成され、その一側に凹み面１１が設けられ、その半円部が中空１２で、下半円部が実体部１２０であり、実体部１２０は、真っ直ぐな側辺である始辺１２２を有し、この始辺１２２の中央端面には円弧１２１が形成され、円弧１２１の両端には始辺１２２に沿ってスケールが形成されている。水平組立ブロック１０の一側の外形が円形状の内周側の凹み面１１の周縁面に沿って凹孔１３が複数設けられ、また、他方の薄板状で矩形状の側は水平尺１４を有する。
【００１４】
水平組立ブロック１０と上蓋組立ブロック３０との間に介装される補助組立ブロック２０は、半円型の凸ブロック２１で形成され、水平組立ブロック１０の一側の凹み面１１に介装される。また、凸ブロック２１は、半円面体２２が上向きに突出形成され、その上に手で操作可能な対応円孔２３が設けられ、さらに、半円形の凸ブロック２１が有する真っ直ぐな側辺にはスケールが設けられ、これを終辺２２０とし、終辺２２０の両端には、指示矢印２４、２４０がそれぞれ設けられている。また、終辺２２０の中央には、水平組立ブロック１０の円弧１２１に対応し同じ大きさの円弧２５が設けられている。なお、円弧２５は、円弧１２１と同じ大きさでなくても、回転中心が合致していれば相似形等であってもよい。
【００１５】
また、図３に示すように、上蓋組立ブロック３０の底面には、水平組立ブロック１０の凹み面１１の周縁面の複数の凹孔１３に対応する係合凸体３１が複数設けられ、水平組立ブロック１０と係合可能となっている。上蓋組立ブロック３０の周縁に形成されたスケールライン３２のスケール０度、１８０度及び１８０度、３６０度は、図１０に示すように、水平組立ブロック１０の実体部１２０の始辺１２２の真っ直ぐな側辺の左右両端に対応している。図１０に示すように、スケール１８０度、３６０度には、反時計方向であって下（図１０では左）側から外角が対照するスケール３３０度、３００度、２７０度、２４０度、２１０度乃至１８０度（即ち、０度）が順次設定されている。また、図１０に示すように、上蓋組立ブロック３０のスケールライン３２は、その中央に形成された中空部３３が、補助組立ブロック２０の半円面体２２と嵌合される。
【００１６】
図１乃至図３に示すように、水平組立ブロック１０と上蓋組立ブロック３０との間に、係合凸体３１、凹孔１３（或いはロック素子かカシメ）とが係合固定して組み立てられ、補助組立ブロック２０が、水平組立ブロック１０と上蓋組立ブロック３０との間で回転可能となっている。
【００１７】
図３を参照すると、上蓋組立ブロック３０の底面に形成された係合凸体３１が、水平組立ブロック１０の凹み面１１の周縁面に形成された凹孔１３と係合固定されることによって、上蓋組立ブロック３０と水平組立ブロック１０とが係合、組立可能となり、その結果、係合、位置決め固定が確実になされ、また、水平組立ブロック１０の一側の凹み面１１が、補助組立ブロック２０の凸ブロック２１に対して回転可能となっている。また、補助組立ブロック２０の凸ブロック２１の上向きに突出される半円面体２２が、上蓋組立ブロック３０の中央の中空部３３に対して回転可能に介装できる構成となっている。
【００１８】
水平組立ブロック１０と上蓋組立ブロック３０は、複数の係合凸体３１と複数の凹孔１３の相互係合を利用する外に、ロック素子（図示せず。例えば、ロック素子が一端にねじ部が形成され、もう一端にヘッド部が形成され、そのヘッド部が、例えば、一字型ドライバ、十字型ドライバ、或いは六角レンチなどのツールで回転でき、ロック素子のねじ部を有する一端を水平組立ブロック１０の一側の凹み面１１が対応する螺孔に順次挿入し螺着、係合させることにより、該ロック素子を介して上蓋組立ブロック３０及び水平組立ブロック１０を締め付け、相互に組立ててもよい。）若しくはカシメによってこれらの間の係合、位置決めを確実にすることもできる。
【００１９】
図４及び図１０に示すように、本考案によるゲージ装置１を使用する場合、上蓋組立ブロック３０の周縁のスケールライン３２に対照してスケール０度から左側に所望の角度まで回転するときに、補助組立ブロック２０の中央円弧２５と水平組立ブロック１０の実体部１２０の中央円弧１２１とが対応しており、且つ同一の中心点に位置するようになっている。さらに、水平組立ブロック１０の実体部１２０の始辺１２２及び補助組立ブロック２０の終辺２２０の取付角により測量し若しくは一度に作図し、右端の指示矢印２４で所望の角度（内角）を示し、左端に位置する指示矢印２４０が、前記内角に対して外角を指すとともに、実体部１２０上のスケールライン１２３が外角の補角（０度がスケールライン３２上のスケール０度、１８０度に対応し、さらに、時計方向に向かって順次１８０度まで所定角度が設定される）を示されている。また、描かれた図形において、水平組立ブロック１０の他一側に設けられた水平尺１４も合せて使用して直線を描けば、各種の角度及び直線の作図を行うことができる。
【００２０】
図５及び図６を参照すると、本考案によるゲージ装置１は、鋭角を測量する補角であって、補助組立ブロック２０の指示矢印２４でその鋭角（例えば３０度）を示す時に、補助組立ブロック２０を右から左（反時計方向）に回転し、他の指示矢印２４０が上蓋組立ブロック３０のスケールライン３２の３０度に対照し、実体部１２０の始辺１２２及び補助組立ブロック２０の終辺２２０で鋭角の補角θ（即ち、１５０度）を測量し若しくは一度に作図することができる。
【００２１】
また、図７及び図８に示すように、本考案による他の実施の形態としては、ゲージ装置１を三角定規１ａ（直角二等辺三角形のもの）若しくは直角定規１ｂ（一つの鋭角が３０度の直角三角形のもの）又はその他の多角定規（図示せず）上に配置してもよい。
【００２２】
図９及び図１０は、本考案の他の実施の形態を示すものであるが、図１に示すゲージ装置と異なるのは、図１における水平組立部ブロック２０の水平尺１４を設けずに、円形に構成した点である。図９及び図１０に示すように、本考案の他の実施の形態によるゲージ装置１ｃは、円形組立ブロック１０ｃと、上蓋組立ブロック３０ｃと、円形組立ブロック１０ｃと上蓋組立ブロック３０ｃとの間に介装される補助組立ブロック２０ｃとを有し、円形組立ブロック１０ｃは、一側に凹み面１１ｃが設けられ、且つその半円部が中空で形成された中空１２ｃと、下半円の外周縁にスケールラインが設けられる実体部１２０ｃとを有する。上蓋組立ブロック３０ｃは、中空部３３を有する環状に形成されて、周縁にスケールライン３２ｃが形成されている。補助組立ブロック２０ｃは、全体が半円突出形状で形成されている。上蓋組立ブロック３０ｃの底面には、円形組立ブロック１０ｃとの周縁面の複数の凹孔１３ｃに対応する係合凸体３１が複数設けられ、円形組立ブロック１０ｃと係合可能になっている。従って、補助組立ブロック２０ｃが、円形組立ブロック１０ｃと上蓋組立ブロック３０ｃとの間で回転可能となっており、各種の角度を速やかに測量若しくは描くことが可能となっている。なお、円形組立ブロック１０ｃと上蓋組立ブロック３０ｃは、複数の係合凸体３１ｃと複数の凹孔１３ｃの相互係合を利用する外に、不図示のロック素子若しくはカシメによって係合、位置決めを行なうこともできる。なお、本実施の形態においては、円形組立ブロック１０ｃの外形は円形を呈しているが、その他の形状であっても良い。
【図面の簡単な説明】
【００２３】
【図１】本考案によるゲージ装置を示す分解斜視図である。
【図２】本考案によるゲージ装置の組合せ状態を示す斜視図である。
【図３】図２のＡ―Ａ位置を示す断面図である。
【図４】本考案の使用例を示す図である。
【図５】本考案の他の使用例を示す平面図である。
【図６】本考案のもう一つの使用例を示す図である。
【図７】本考案のもう一つの実施例を示す斜視図である。
【図８】本考案のもう一つの実施例を示す斜視図である。
【図９】本考案のもう一つの実施例を示す分解斜視図である。
【図１０】図９の組合せを示す斜視図である。
【符号の説明】
【００２４】
１    ゲージ装置
１０    水平組立ブロック
１１    凹み面
１２    中空
１３    凹孔
１４    水平尺
２０    補助組立ブロック
２１    凸ブロック
２２    半円面体
２３    円孔
２４、２４０    指示矢印
２５    円弧
３０    上蓋組立ブロック
３１    係合凸体
３２    スケールライン
３３    中空部
１２０    実体部
１２１    円弧
１２２    始辺
２２０    終辺
１ａ  三角定規
１ｂ  直角定規
１ｃ  ゲージ装置
１０ｃ  円形組立ブロック
１１ｃ  凹み面
１２ｃ  中空
１３ｃ  凹孔
２０ｃ  補助組立ブロック
３０ｃ  上蓋組立ブロック
３１ｃ  係合凸体
３２ｃ  スケールライン
３３ｃ  中空部
１２０ｃ  実体部
１２２ｃ  始辺
【図１】
0003122412.tif 000003
【図２】
0003122412.tif 000004
【図３】
0003122412.tif 000005
【図４】
0003122412.tif 000006
【図５】
0003122412.tif 000007
【図６】
0003122412.tif 000008
【図７】
0003122412.tif 000009
【図８】
0003122412.tif 000010
【図９】
0003122412.tif 000011
【図１０】
0003122412.tif 000012
【手続補正書】
【提出日】平成18年4月5日(2006.4.5)
【手続補正１】
【補正対象書類名】実用新案登録請求の範囲
【補正対象項目名】全文
【補正方法】変更
【補正の内容】
【実用新案登録請求の範囲】
【請求項１】
主に、水平組立ブロック１０と、補助組立ブロック２０と、上蓋組立ブロック３０とを備え、
一側に凹み面１１が設けられ、且つその上半円部が中空１２で、下半円部が中央端面に円弧１２１を有する実体部１２０であり、その周縁面に亘って凹孔１３が設けられ、もう一方側には水平尺１４が延びており、
該補助組立ブロック２０が、半円型の凸ブロック２１で、水平組立ブロック１０の一側の凹み面１１に設けられ、凸ブロック２１に半円面体２２が上向きに突出され、一側にスケールが設けられる真っ直ぐな側辺を終辺２２０とし、終辺２２０の両端には、指示矢印２４、２４０がそれぞれ設けられ、その中央には、水平組立ブロック１０の実体部１２０の中央円弧１２１に対応する円弧２５が設けられ、
該上蓋組立ブロック３０の中央に中空部３３が設けられ、その周縁にスケールライン３２が設けられ、その底面に前記水平組立ブロック１０の周縁面の凹孔１３に対応する係合凸体３１が設けられ、前記水平組立ブロック１０と係合することを特徴とするゲージ装置。
【請求項２】
前記ゲージ装置１は、三角定規１ａ又は直角定規若しくは多角定規の何れか一つに配置されていることを特徴とする請求項１記載のゲージ装置。
【請求項３】
一側に凹み面１１ｃが設けられ、且つその上半円部が中空１２ｃで、下半円部の外周にスケールラインが設けられる実体部１２０ｃである円形組立ブロック１０ｃと、周縁にスケールライン３２ｃを設けている上蓋組立ブロック３０ｃと、半円形状で前記円形組立ブロック１０ｃと前記上蓋組立ブロック３０ｃとの間に組み立てられる補助組立ブロック２０ｃとを備えることを特徴とする請求項１記載のゲージ装置。